(57)【要約】【課題】本発明の主な目的は、被施療者に適切な温熱効果を供与することができる椅子式マッサージ機を提供することである。【解決手段】椅子式マッサージ機は、背凭れ部と、前記背凭れ部の開口部に被施療者の背中が落ち込むことを防止する落ち込み防止部材と、ヒータ装置と、を備える。前記椅子式マッサージ機の正面視で前記落ち込み防止部材と前記ヒータ装置とが重なる。【選択図】図２
2019000738.tif 000002
【特許請求の範囲】
【請求項１】
椅子式マッサージ機であって、
背凭れ部と、
前記背凭れ部の開口部に被施療者の背中が落ち込むことを防止する落ち込み防止部材と、
ヒータ装置と、
を備え、
前記椅子式マッサージ機の正面視で前記落ち込み防止部材と前記ヒータ装置とが重なる、椅子式マッサージ機。
【請求項２】
施療子をさらに備え、
前記落ち込み防止部材は、前記施療子の移動可能方向に沿って延びるベルト形状である、請求項１に記載の椅子式マッサージ機。
【請求項３】
樹脂部材をさらに備え、
前記樹脂部材は、前記ヒータ装置よりも前方に配置され、
前記椅子式マッサージ機の正面視で前記樹脂部材と前記ヒータ装置とが重なる、請求項１又は請求項２に記載の椅子式マッサージ機。
【請求項４】
前記樹脂部材の左右方向幅は、前記ヒータ装置の左右方向幅より広い、請求項３に記載の椅子式マッサージ機。
【発明の詳細な説明】
【技術分野】
【０００１】
本発明は、椅子式マッサージ機に関する。
【背景技術】
【０００２】
特開２００６−３２５６４５号公報（特許文献１）には、ローラ対の可動範囲を大きくしても、それを覆うカバー部材のずれを抑制することが可能なマッサージ機について開示されている。
【０００３】
特開２０１４−７９３６８号公報（特許文献２）には、使用者の身体に、効率よく温熱を付与することができるマッサージ装置について開示されている。
【０００４】
特開２０１４−３３８６０号公報（特許文献３）には、施療子の加熱に供される電力が無駄に消費されることを抑制することができるマッサージ機について開示されている。
【先行技術文献】
【特許文献】
【０００５】
【特許文献１】特開２００６−３２５６４５号公報
【特許文献２】特開２０１４−７９３６８号公報
【特許文献３】特開２０１４−３３８６０号公報
【発明の概要】
【発明が解決しようとする課題】
【０００６】
特許文献１記載のマッサージ機では、被施療者の首筋領域に対しても効果的なマッサージが施せるようになるとともに、ローラ対の可動範囲を大きくしてもカバー部材のずれを抑制することができるという効果を奏する。
【０００７】
また、近年、特許文献２または特許文献３のマッサージ機のように、被施療者の背中を温めるということが求められている。
しかしながら、特許文献２または特許文献３のマッサージ機においては、施療子の押圧力を利用して温熱効果を付与しているため、施療子が動作しない部分について温熱効果を付与することが困難である。
【０００８】
本発明の主な目的は、被施療者に適切な温熱効果を供与することができる椅子式マッサージ機を提供することである。
本発明の主な他の目的は、被施療者の背骨に適切な温熱効果を供与することができる椅子式マッサージ機を提供することである。
【課題を解決するための手段】
【０００９】
（１）
一局面に従う椅子式マッサージ機は、椅子式マッサージ機であって、背凭れ部の開口部に配置された施療子と、開口部に張設される支持ベルトと、支持ベルトに設けられたヒータ装置と、を含むものである。
【００１０】
この場合、支持ベルトにヒータ装置が設けられているので、開口部においても被施療者へ温熱効果を供与することができる。すなわち、被施療者の背中に対して、施療子の動作および位置に関わらず、温熱効果を供与することができる。
【００１１】
（２）
第２の発明にかかる椅子式マッサージ機は、一局面に従う椅子式マッサージ機において、ヒータ装置は、１または複数のフィルムヒータおよび１または複数の面状発熱体の少なくとも一方からなってもよい。
【００１２】
この場合、ヒータ装置は、１または複数のフィルムヒータおよび１または複数の面状発熱体の少なくとも一方からなるので、一部を加熱し、被施療者の身体の一部に温熱効果を供与したり、複数部を加熱し、被施療者の身体の複数部または全体に温熱効果を供与したりすることができる。
【００１３】
（３）
第３の発明にかかる椅子式マッサージ機は、一局面または第２の発明にかかる椅子式マッサージ機において、ヒータ装置は、１または複数の不織布のＰＴＣヒータからなってもよい。
【００１４】
この場合、１または複数の不織布のＰＴＣヒータからなることから、伸縮性および屈曲性が高いため、耐久力を維持することができる。
【００１５】
（４）
第４の発明にかかる椅子式マッサージ機は、一局面から第３の発明にかかる椅子式マッサージ機において、ヒータ装置は、支持ベルトの袋部に挿入されるか、または支持ベルトの筒部に挿入されてもよい。
【００１６】
この場合、ヒータ装置は、支持ベルトの袋部または筒部に収納することができる。その結果、ヒータ装置の位置を容易に確定することができる。
【００１７】
（５）
第５の発明にかかる椅子式マッサージ機は、一局面から第３の発明にかかる椅子式マッサージ機において、ヒータ装置は、支持ベルトと一体成型されてもよい。
【００１８】
この場合、ヒータ装置は、支持ベルトと一体成型されているので、製造コストおよび製造工程を簡略化することができる。
【００１９】
（６）
第６の発明にかかる椅子式マッサージ機は、一局面から第３の発明にかかる椅子式マッサージ機において、ヒータ装置は、支持ベルトに熱プレス加工されてもよい。
【００２０】
この場合、ヒータ装置は、支持ベルトに熱プレス加工されているので、製造コストおよび製造工程を簡略化することができる。
【００２１】
（Ａ）
本発明にかかる椅子式マッサージ機は、一局面から第６の発明にかかる椅子式マッサージ機において、支持ベルトは、開口部の鉛直上下方向に沿って張設されてもよい。
【００２２】
この場合、支持ベルトは、開口部の上下方向に沿って張設されているので、一対の施療子の間、特に、被施療者の背骨付近に対して温熱効果を供与することができる。その結果、マッサージ効果を高めることができる。
【図面の簡単な説明】
【００２３】
【図１】本発明の実施形態による椅子式マッサージ機の構成を示す斜視図である。
【図２】椅子式マッサージ機の背凭れ部の構造を示す模式図である。
【図３】支持ベルトの一例を示す模式図である。
【図４】図３に示した支持ベルトの他の例を示す模式図である。
【図５】図３または図４に示した支持ベルトのさらに他の例を示す模式図である。
【図６】図３乃至図５に示した支持ベルトのさらに他の例を示す模式図である。
【発明を実施するための形態】
【００２４】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２５】
[実施の形態]
図１は、本発明の実施形態による椅子式マッサージ機１００の構成を示す斜視図である。
図１に示すように、本発明の実施形態による椅子式マッサージ機１００は、座部２００、背凭れ部３００、基台部４００、腕施療部５００、操作部７００、スタンド８００および脚載部９００を備える。
【００２６】
なお、以下の説明において、図１に示すように、椅子式マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）と、上側（ＵＰ）および下側（ＤＯＷＮ）とを仮定する。  
【００２７】
図１に示すように、椅子式マッサージ機１００の背凭れ部３００は、被施療者の肩、腰、背中を支持するとともに、前後方向に起倒可能に形成される。また、背凭れ部３００には、施療子（一対の揉み玉）３５０がガイドレールに沿って上下方向に移動可能に内蔵されている。施療子３５０は、揉み、叩き、ローリングなどの多様な施療動作が可能なよう、一対の揉み玉で形成される。
【００２８】
図１の座部２００には、１または複数の反復膨張する膨縮袋（エアー施療部）（図示略）が内蔵され、該膨縮袋により被施療者の臀部を支持しつつ施療する。また、脚載部９００は、座部２００および基台部４００の前端に軸支され、脚載部９００自体が回動可能に設けられている。
脚載部９００においては、１または複数の反復膨張する膨縮袋（図示略）が設けられており、該膨縮袋により被施療者の脚を施療する。
【００２９】
また、腕施療部５００は、図１の座部２００の左右両側に立設して設けられる。腕施療部５００には、１または複数の反復膨張する膨縮袋（図示略）が内蔵され、該膨縮袋により被施療者の腕を支持しつつ施療する。
【００３０】
次に、図２は、椅子式マッサージ機１００の背凭れ部３００の構造を示す模式図である。
【００３１】
図２に示すように、背凭れ部３００は、フレームにウレタン等のパッド部材が設けられた背パッド３１０、背パッド３１０の開口部３１１に取り付けられるカバー部材３２０、およびクッション部材３３０からなる。
【００３２】
図２に示すように、クッション部材３３０は、背凭れ部３００の最外部に設けられ、背パッド３１０から取り外し可能に設けられている。
一方、カバー部材３２０は、説明のために背パッド３１０から取り外して図示しているが、通常取り外すことができないように形成される。すなわち、カバー部材３２０は、一対の施療子３５０の稼働する範囲で設けられた開口部３１１を閉塞するための部材であり、被施療者の身体の一部が開口部３１１から一対の施療子３５０側へ侵入することを防止するものである。
【００３３】
カバー部材３２０の表面は、ベロアのような繊維状の素材で構成される。また、カバー部材３２０の裏面は、ポリアミド樹脂で構成されている。
なお、本実施の形態におけるカバー部材３２０においては、上記素材について説明を行ったが、これに限定されず、例えば、レザー、合成皮革、その他各種の合成樹脂、繊維状の素材、またはそれらの複合素材等で構成されていてもよい。
【００３４】
また、図２に示すように、一対の施療子３５０は、矢印Ｖの方向に移動可能に形成されている。ここで、矢印Ｖの方向は、図１の上側（ＵＰ）から所定の角度傾斜している角度である。
次に、本実施の形態においては、図２における矢印Ｖの方向に沿って、一対の施療子３５０の間に支持ベルト３６０が設けられている。また、矢印Ｖの方向と垂直な方向に、支持ベルト３６１が水平方向に設けられている。
支持ベルト３６０，３６１は、開口部３１１において、被施療者の背中が落ち込まないように、背中を効果的に支持するために設けられている。
【００３５】
なお、本実施の形態においては、支持ベルト３６０、３６１について説明を行うが、所定の幅を有するベルト形状に限定されず、被施療者の背中の落ち込みを防止することができる任意の部材、その他の形状であってもよい。
また、本実施の形態において図示略しているが、カバー部材３２０の裏面に支持ベルト３６０，３６１を収容する袋形状が形成されていることが好ましい。
【００３６】
したがって、上記の構成により、一対の施療子３５０が矢印Ｖの方向に動作した場合であっても、カバー部材３２０の袋形状内に支持ベルト３６０,３６１が挿入されているため、カバー部材３２０の上下左右方向のずれ、よれ、皺、ねじれ等を防止することができる。
さらに、支持ベルト３６１が水平方向に設けられているが、支持ベルト３６１を設けなくてもよく、被施療者の背中が落ち込まない構造を維持していればよい。
【００３７】
（実施の形態にかかる支持ベルト）
続いて、図３は、支持ベルト３６０の一例を示す模式図である。
図３に示すように、支持ベルト３６０は、ベルト部材３６２および面状ヒータ３６４から形成される。
ベルト部材３６２は、ポリ塩化ビニル素材、またはＰＥＴ（ポリエチレンテレフタラート）からなる。
【００３８】
また、面状ヒータ３６４は、ＰＴＣ（正温度係数）面状発熱体からなる。なお、ＰＴＣ面状発熱体に限定されず、フィルムヒータからなってもよい。
ＰＴＣ面状発熱体は、温度が上昇した場合、抵抗値も上昇する性質を有する。その結果、温度が緩やかに上昇した後、所定の温度で安定するため温度調整回路が不要となるため、コスト増加を抑制することができる。また、消費電力も一定となるため、電力削減することができる。
【００３９】
図３に示す支持ベルト３６０においては、ベルト部材３６２に面状ヒータ３６４が一体に形成されているので、被施療者の背骨に対して容易に温熱効果を供与することができる。また、一対の施療子３５０による温熱効果と異なり、被施療者の背骨のほぼ全域にわたって同時に温熱効果を供与することができる。
なお、図３においては、ベルト部材３６２の一面側に面状ヒータ３６４を設けることとしているが、これに限定されず、ベルト部材３６２により面状ヒータ３６４をサンドイッチ構造としてもよく、ベルト部材３６２に面状ヒータ３６４を一体成型してもよい。
【００４０】
（支持ベルトの他の例）
図４は、図３に示した支持ベルト３６０の他の例を示す模式図である。
【００４１】
図４に示す支持ベルト３６０ａは、ベルト部材３６２に筒部３６６が形成され、面状ヒータ３６４が筒部３６６内に収容されるように形成される。
【００４２】
（支持ベルトのさらに他の例）
図５は、図３および図４に示した支持ベルト３６０のさらに他の例を示す模式図である。
【００４３】
図５に示す支持ベルト３６０ｂは、ベルト部材３６２に袋部３６８が形成され、面状ヒータ３６４が袋部３６８内に収容されるように形成される。
【００４４】
（支持ベルトのさらに他の例）
図６は、図３乃至図５に示した支持ベルト３６０のさらに他の例を示す模式図である。
【００４５】
図６に示す支持ベルト３６０ｃは、ベルト部材３６２に複数の面状ヒータ３６４が一体に形成されている。すなわち、ベルト部材３６２の一面側に面状ヒータ３６４が並べて形成される。その結果、面状ヒータ３６４の一部に通電させて、加熱させることができる。
その結果、複数の面状ヒータ３６４の一部または全部を選択し、加熱させることで、被施療者が温熱効果を得たい背骨の部位に対して適切な温熱効果を供与することができる。
【００４６】
なお、以上の説明においては、支持ベルト３６０，３６０ａ，３６０ｂ，３６０ｃについて説明したが、これに限定されず、支持ベルト３６１について同様に面状ヒータ３６４を設けてもよい。
【００４７】
以上のように、本実施の形態にかかるマッサージ機１００においては、支持ベルト３６０のベルト部材３６２に面状ヒータ３６４が設けられているので、被施療者の背骨周辺を確実に温めることができる。特に、被施療者の背中に対して、一対の施療子３５０の動作および位置に関わらず、温熱効果を供与することができる。
【００４８】
また、面状ヒータ３６４は、１または複数のＰＴＣヒータからなるので、一部を加熱し、被施療者の身体の一部に温熱効果を供与したり、複数部を加熱し、被施療者の身体の複数部または全体に温熱効果を供与したりすることができる。
【００４９】
さらに、不織布の面状ヒータ３６４からなることから、伸縮性および屈曲性が高いため、一対の施療子３５０に接触した場合、または被施療者の着座回数に関係なく、耐久力を維持することができる。
また、面状ヒータ３６４は、支持ベルト３６０の筒部３６６または袋部３６８に収納することができる。その結果、面状ヒータ３６４の位置を容易に確定することができる。
【００５０】
また、面状ヒータ３６４は、支持ベルト３６０と一体成型または熱プレス加工されているので、製造コストおよび製造工程を簡略化することができる。
さらに、支持ベルト３６０は、開口部３１１の矢印Ｖの方向に沿って張設されているので、一対の施療子３５０の間、特に、被施療者の背骨付近に対して同時に温熱効果を供与することができる。その結果、マッサージ効果を高めることができる。
【００５１】
（実施形態における各部と課題を解決するための手段の各構成要素との対応関係）
椅子式マッサージ機１００が、「椅子式マッサージ機」に相当し、座部２００が「座部」に相当し、背凭れ部３００が「背もたれ部」に相当し、開口部３１１が「開口部」に相当し、一対の施療子３５０が「施療子」に相当し、支持ベルト３６０，３６０ａ，３６０ｂ，３６０ｃ，３６１またはベルト部材３６２が「支持ベルト」に相当し、面状ヒータ３６４、ＰＴＣヒータが「ヒータ装置、１または複数のフィルムヒータ、１または複数の面状発熱体、１または複数の不織布のＰＴＣヒータ」に相当し、袋部３６８が「袋部」に相当し、筒部３６６が「筒部」に相当する。
【００５２】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５３】
１００  椅子式マッサージ機
２００  座部
３００  背凭れ部
３１１  開口部
３５０  一対の施療子
３６０，３６０ａ，３６０ｂ，３６０ｃ  支持ベルト
３６１  支持ベルト
３６２  ベルト部材
３６４  面状ヒータ
３６６  筒部
３６８  袋部
【図１】
2019000738.tif 000003
【図２】
2019000738.tif 000004
【図３】
2019000738.tif 000005
【図４】
2019000738.tif 000006
【図５】
2019000738.tif 000007
【図６】
2019000738.tif 000008